(57)【要約】【課題】伝送路３を介して信号を伝送する信号伝送システムにおいて、ランダムパターンを発生する回路や伝送路３を介して伝送された後の信号のＥＹＥ波形の取得を不要として回路規模の増大を抑制する。【解決手段】信号伝送システムは、伝送路３を介して伝送される前の信号にプリエンファシスを与えるプリエンファシス回路１４と、伝送路３を介して伝送された後の信号の波形において敷居電圧レベルを超えている受信側時間を計測する受信側時間計測部３２と、受信側時間計測部３２が計測した受信側時間と伝送路３を介して伝送される前の信号において敷居電圧レベルを超えている送信側時間の期待値とを比較する比較判定部２２と、比較判定部２２による比較の結果に基づいてプリエンファシス回路１４を制御してプリエンファシスを調整するプリエンファシス制御部２１とを備える。【選択図】図１
2010045694.tif 000002
【特許請求の範囲】
【請求項１】
伝送路を介して信号を伝送する信号伝送システムにおいて、
前記伝送路を介して伝送される前の前記信号にプリエンファシスを与えるプリエンファシス回路と、
前記伝送路を介して伝送された後の前記信号の波形において敷居電圧レベルを超えている受信側時間を計測する受信側時間計測部と、
当該受信側時間計測部が計測した前記受信側時間と前記伝送路を介して伝送される前の前記信号において前記敷居電圧レベルを超えている送信側時間の期待値とを比較する比較判定部と、
前記比較判定部による比較の結果に基づいて前記プリエンファシス回路を制御して前記プリエンファシスを調整するプリエンファシス制御部と、
を備えることを特徴とする信号伝送システム。
【請求項２】
前記伝送路を介して伝送される前の前記信号の波形において敷居電圧レベルを超えている送信側時間を計測する送信側時間計測部を更に備え、
前記比較判定部は、前記受信側時間と前記送信側時間計測部が計測した前記送信側時間とを比較する
ことを特徴とする請求項１に記載の信号伝送システム。
【請求項３】
前記送信側時間の期待値を記憶する記憶部を更に備え、
前記比較判定部は、前記受信側時間と前記記憶部に記憶されている前記送信側時間の期待値とを比較する
ことを特徴とする請求項１に記載の信号伝送システム。
【発明の詳細な説明】
【技術分野】
【０００１】
本発明は、送信回路から受信回路まで伝送路を介して信号を伝送する信号伝送システムに関する。
【背景技術】
【０００２】
従来、上記の信号伝送システムにおいて、信号に対する高速伝送の必要性から、受信回路が受信する信号が最適な波形となるように送信回路が送信しようとする信号に対してプリエンファシスを与えて波形補正を行ってから受信回路へ伝送している。送信回路においてプリエンファシス調整を最適に行うために、例えば、図７に示す信号伝送システムが従来から知られている。
【０００３】
送信回路５１のドライバ６３の入力直前にセレクタ６２が設けられ、セレクタ６２は、伝送路５３を介して伝送される信号の波形を試験する時に、試験信号を送出するための経路を選択する。試験信号には、高速信号パターンが引き起こす符号間干渉（ＩＳＩ：Intersymbol interference）を見るために、ＰＲＢＳ（Pseudo-random bit sequence）信号のようなランダムパターン信号が使用される。このＰＲＢＳ信号は送信回路５１に直接実装されたＰＲＢＳ回路６１ａを使用するか、外部のＰＲＢＳ発生器６１ｂからコネクタを介して送信回路５１に供給される。
【０００４】
試験信号は送信回路５１のドライバ６３から受信回路５２のレシーバ８１まで伝送路５３を介して伝送される。伝送路５３を介して伝送された試験信号はレシーバ８１の入力端に接続されたオシロスコープ８２によってモニタされる。この時、オシロスコープ８２は試験信号のＥＹＥ波形を取得する。波形補正回路６４は、オシロスコープ８２が取得するＥＹＥ開口が最良となるように、ドライバ６３から出力された試験信号の波形を調節する。
【０００５】
なお、ＰＲＢＳ信号のようなランダムパターン信号を用いてＥＹＥ開口を効率よく取得する技術は、例えば特許文献１に記載されている。また、ＰＲＢＳ信号を使用せずに、図８に示すように、シングルパルスＳＰｔとこれを反転されたシングルパルスＳＰｃとを組み合わせて簡易に擬似的なＥＹＥ波形を取得して、そのクロスポイントＣＰ１及びＣＰ２の時間軸の大きさに基づいてプリエンファシスを調整する技術は、例えば特許文献２に記載されている。
【特許文献１】特開平７−２６４２４８号公報
【特許文献２】特開２００７−２７４１３９号公報
【発明の開示】
【発明が解決しようとする課題】
【０００６】
しかし、従来の信号伝送システムは、ＰＲＢＳ信号のようなランダムパターンを発生する回路を送信回路が装備する必要があり、回路規模が大きくなってしまう。
【０００７】
ＰＲＢＳ発生器を送信回路の外部に接続して使用する場合においてはコストが増えるだけでなく、装置構成も大きくなってしまう。また、送信回路や受信回路の他にＰＲＢＳ発生器６１ｂも自動制御しなければならなくなり、システム構成も大きくなってしまう。
【０００８】
ＥＹＥ波形を取得する受信回路も、時間軸方向に沿って細かく電圧方向をサンプリングしていく回路や、受信波形を重ね書きするためのメモリを装備する必要があり、回路の規模が大きくなる。また、オシロスコープなどの外部測定器の使用に関しても、コストが増
加し、装置構成が大型化してしまう。更に、オシロスコープの自動制御にも手間がかかる。
【０００９】
また、図８において、そのクロスポイントＣＰ１及びＣＰ２を検出するためには、電圧軸と時間軸を交互にずらしてサンプリングする必要があり、処理時間が増大してしまう。
【００１０】
本発明は、上記問題点に鑑みてなされたものであり、その目的は、送信回路から受信回路までの伝送路ロスの影響を低減するため、ＰＲＢＳ信号のようなランダム発生器でＥＹＥ波形を観測する手段によらず、受信側で受信した波形を監視した結果を送信側へフィードバックして、送信側のプリエンファシス回路の強度補正を自動的に調整する信号伝送システムを提供することである。
【課題を解決するための手段】
【００１１】
本発明の特徴は、伝送路を介して信号を伝送する信号伝送システムにおいて、当該信号伝送システムが、伝送路を介して伝送される前の信号にプリエンファシスを与えるプリエンファシス回路と、伝送路を介して伝送された後の信号の波形において敷居電圧レベルを超えている受信側時間を計測する受信側時間計測部と、当該受信側時間計測部が計測した受信側時間と伝送路を介して伝送される前の信号において敷居電圧レベルを超えている送信側時間の期待値とを比較する比較判定部と、比較判定部による比較の結果に基づいてプリエンファシス回路を制御してプリエンファシスを調整するプリエンファシス制御部とを備えていることである。
【００１２】
本発明の特徴によれば、受信側時間と送信側時間の期待値とを比較し、この比較結果に基づいてプリエンファシス回路を制御することにより、伝送路を介して伝送された後の信号の波形が最適な波形となるように伝送路を介して伝送される前の信号の波形を補正して、送信回路から受信回路までの伝送路ロスの影響を低減させることができる。
【発明の効果】
【００１３】
本発明の信号伝送システムによれば、ランダムパターンを発生する回路を装備する必要が無くなり、また、伝送路を介して伝送された後の信号のＥＹＥ波形を取得する必要もなくなるので、回路規模の増大を抑制することができる。
【発明を実施するための最良の形態】
【００１４】
以下図面を参照して、本発明の実施の形態を説明する。なお、図面の記載において同一部分には同一符号を付して説明を省略する。
（本発明の実施の形態）
図１を参照して、本発明の実施の形態に係わる信号伝送システムの構成を説明する。本発明の実施の形態に係わる信号伝送システムは、送信回路１から受信回路２まで伝送路３を介して信号を伝送するシステムである。
【００１５】
送信回路１は、伝送路３を介して信号を受信回路２へ送信する回路であって、繰返しパルスを出力する繰返しパルス発振器１１と、繰返しパルス発振器１１に接続されたセレクタ１２と、セレクタ１２によって選択された信号を駆動するドライバ１３と、ドライバ１３により駆動された信号に対してプリエンファシスを与えるプリエンファシス回路１４と、プリエンファシス回路１４によりプリエンファシスが与えられた信号の波形において敷居電圧レベルを超えている送信側時間を計測する送信側時間計測部１９と、信号伝送システム全体を制御するコントローラ１５と、スイッチＲＬとを備える。
【００１６】
スイッチＲＬを伝送路３側へ接続することにより、プリエンファシス回路１４によりプリエンファシスが与えられた信号は、伝送路３を介して受信回路２へ伝送される。一方、
スイッチＲＬを送信側時間計測部１９側へ接続することにより、プリエンファシス回路１４によりプリエンファシスが与えられた信号は、送信側時間計測部１９へ伝送される。図１に示す送信回路１の構成において、プリエンファシス回路１４によりプリエンファシスが与えられた信号は、「伝送路３を介して伝送される前の信号」の一例に相当する。
【００１７】
繰返しパルス発振器１１は、例えば矩形波などのパルスを繰返し発振し、発振した繰返しパルスをセレクタ１２へ出力する。セレクタ１２は、２以上の入力端子と１つの出力端子とを備え、選択されたいずれか１つの入力端子と出力端子との間を接続する。繰返しパルス発振器１１から出力された繰返しパルスはセレクタ１２が備える１つの入力端子に入力される。
【００１８】
送信側時間計測部１９は、プリエンファシス回路１４によりプリエンファシスが与えられた繰返しパルスの電圧レベルを所定の敷居電圧レベルTxVthと比較する比較器１８と、比較器１８による比較結果をサンプリングするサンプリング回路１７と、プリエンファシス回路１４によりプリエンファシスが与えられた繰返しパルスの電圧レベルが敷居電圧レベルTxVthを超えている時のサンプリング回数をカウントするカウンタ１６とを備える。
【００１９】
受信回路２は、伝送路３を介して伝送された信号を受信する回路であって、信号が入力されるレシーバ３１と、レシーバ３１に入力される信号の波形において前記した敷居電圧レベルを超えている受信側時間を計測する受信側時間計測部３２とを備える。図１に示す受信回路２の構成において、レシーバ３１に入力される信号は、「伝送路３を介して伝送された後の信号」の一例に相当する。
【００２０】
受信側時間計測部３２は、レシーバ３１に入力される繰返しパルスの電圧レベルを所定の敷居電圧レベルRxVthと比較する比較器３８と、比較器３８による比較結果をサンプリングするサンプリング回路３７と、レシーバ３１に入力される繰返しパルスの電圧レベルが敷居電圧レベルRxVthを超えている時のサンプリング回数をカウントするカウンタ３６とを備える。
【００２１】
コントローラ１５は、通常のマイクロプロセッサなどにより構成され、プリエンファシス回路１４を制御するプリエンファシス制御部２１と、受信側時間計測部３２が計測した受信側時間とプリエンファシス回路１４によりプリエンファシスが与えられた繰返しパルスにおいて敷居電圧レベルTxVthを超えている送信側時間の期待値とを比較する比較判定部２２と、カウンタ１６、３６を制御するカウンタ制御部２３と、サンプリング回路１７、３７を制御するサンプリング制御部２４と、敷居電圧レベルTxVth、RxVthを制御する敷居電圧制御部２５としての機能を備える。なお、本発明の実施の形態において、比較判定部２２は、「送信側時間の期待値」の一例として、送信側時間計測部１９が計測した送信側時間を用いる。
【００２２】
次に、図２（ａ）〜図２（ｄ）を参照して、送信側時間計測部１９が送信側時間を計測し、受信側時間計測部３２が受信側時間を計測する動作を説明する。
【００２３】
セレクタ１２により繰返しパルス発振器１１が接続された入力端子が選択されると、図１のノードＡには、プリエンファシス回路１４によりプリエンファシスが与えられた繰返しパルスの波形が現れる。
【００２４】
スイッチＲＬが送信側時間計測部１９側に接続されると、図１のノードＣには、ノードＡにおける繰返しパルスの電圧レベルと所定の敷居電圧レベルTxVthとの比較結果が現れる。図２（ｂ）に示すように、比較器１８は、ノードＡにおける繰返しパルスの電圧レベルが敷居電圧レベルvth1を超えている時にロジックレベル“１”を出力し、ノードＡにお
ける繰返しパルスの電圧レベルが敷居電圧レベルvth1を超えていない時にロジックレベル“０”を出力する。サンプリング回路１７は、繰返しパルス毎に時間△ｔずつ位相をずらして、ノードＣのロジックレベルをサンプリングする。カウンタ１６は、サンプリング回路１７がロジックレベル“１”をサンプリングした回数（ｐ）をカウントする。送信側時間を△ｔ×ｐとすれば、送信側時間計測部１９は、当該回数（ｐ）から送信側時間を計測することができる。なお、図１では、比較判定部２２がカウンタ１６からサンプリング回数（ｐ）を読み出す例を示すが、この代わりに、カウンタ１６がサンプリング回数（ｐ）から送信側時間（△ｔ×ｐ）を演算し、比較判定部２２がカウンタ１６から送信側時間（△ｔ×ｐ）を読み出しても構わない。
【００２５】
一方、スイッチＲＬが伝送路３側に接続されると、図１のノードＢには、レシーバ３１に入力される繰返しパルスの波形が現れる。図２（ｃ）に示すように、ノードＢにおける繰返しパルスは、送信回路１から受信回路２までの伝送路３ロスの影響により、図２（ａ）に示す波形に比べて歪んだ波形を有する。
【００２６】
図１のノードＤには、ノードＢにおける繰返しパルスの電圧レベルと所定の敷居電圧レベルRxVthとの比較結果が現れる。図２（ｄ）に示すように、比較器３８は、ノードＢにおける繰返しパルスの電圧レベルが敷居電圧レベルvth1を超えている時にロジックレベル“１”を出力し、ノードＢにおける繰返しパルスの電圧レベルが敷居電圧レベルvth1を超えていない時にロジックレベル“０”を出力する。サンプリング回路３７は、繰返しパルス毎に時間△ｔずつ位相をずらして、ノードＤのロジックレベルをサンプリングする。カウンタ３６は、サンプリング回路３７がロジックレベル“１”をサンプリングした回数（ｑ）をカウントする。受信側時間を△ｔ×ｑとすれば、受信側時間計測部３２は、当該回数（ｑ）から受信側時間を計測することができる。なお、図１では、比較判定部２２がカウンタ３６からサンプリング回数（ｑ）を読み出す例を示すが、この代わりに、カウンタ３６がサンプリング回数（ｑ）から受信側時間（△ｔ×ｑ）を演算し、比較判定部２２がカウンタ３６から受信側時間（△ｔ×ｑ）を読み出しても構わない。
【００２７】
図３（ａ）及び図３（ｂ）は、複数（ｎ個）の敷居電圧レベルvth1〜vthnについて、送信側時間計測部１９が計測した送信側時間t1_Tx〜tn_Tx及び受信側時間計測部３２が計測した受信側時間t1_Rx〜tn_Rxの一例を示す。図１の敷居電圧制御部２５は、敷居電圧レベルの数（ｎ）及び各敷居電圧レベルvth1〜vthnを任意に設定することができる。計測された送信側時間t1_Tx〜tn_Tx及び受信側時間t1_Rx〜tn_Rxは、コントローラ１５内に一時的に記憶される。
【００２８】
次に、比較判定部２２による受信側時間t1_Rx〜tn_Rxと送信側時間t1_Tx〜tn_Txとの比較結果に基づくプリエンファシス調整の一例を説明する。
【００２９】
ここでは、送信側時間t1_Txの前後１％の範囲を基準範囲とする場合をついて示す。プリエンファシス制御部２１は、受信側時間t1_Rxがこの基準範囲内にあると比較判定部２２が判定した場合、プリエンファシス回路１４によるプリエンファシスが最適であると判断する。受信側時間t1_Rxがこの基準範囲よりも短いと比較判定部２２が判定した場合、プリエンファシス回路１４によるプリエンファシスが不足していると判断する。受信側時間t1_Rxがこの基準範囲よりも長いと比較判定部２２が判定した場合はプリエンファシス回路１４によるプリエンファシスが過大であると判断する。プリエンファシス制御部２１は、これらの判断に基づいてプリエンファシス回路１４を制御する。送信側時間t2_Tx〜tn_Tx及び受信側時間t2_Rx〜tn_Rxについても同様である。
【００３０】
t1_Tx（-1%）＞ t1_Rx                      ：プリエンファシス→不足
t1_Tx（-1%）≦ t1_Rx ≦t1_Tx（+1%）     ：プリエンファシス→最適
t1_Tx（+1%）＜ t1_Rx                      ：プリエンファシス→過大
次に、図４を参照して、プリエンファシス調整時における図１のコントローラ１５の制御動作の一例を説明する。
【００３１】
（イ）先ず、Ｓ０１段階において、繰返しパルス発振器１１を制御して繰返しパルスの発振を開始する。Ｓ０３段階に進み、セレクタ１２を制御して繰返しパルス発振器１１が接続された入力端子を選択して出力端子と接続する。スイッチＲＬを制御してスイッチＲＬを送信側時間計測部１９側へ接続する。
【００３２】
（ロ）次に、Ｓ０５段階に進み、変数ｋの初期値としてｋ＝１を設定し、Ｓ０７段階に進み、敷居電圧制御部２５は敷居電圧レベルvthkを設定する。
【００３３】
（ハ）次に、Ｓ０９段階に進み、送信側時間計測部１９を制御して送信側時間tk_Txを計測する。Ｓ１１段階に進み、スイッチＲＬを制御してスイッチＲＬを伝送路３側へ接続し、受信側時間計測部３２を制御して受信側時間tk_Rxを計測する。
【００３４】
（ニ）次に、Ｓ１３段階に進み、比較判定部２２は、受信側時間計測部３２が計測した受信側時間tk_Rxと送信側時間計測部１９が計測した送信側時間tk_Txとを比較する。そして、Ｓ１５段階に進み、プリエンファシス制御部２１は、比較判定部２２による比較の結果に基づいて、プリエンファシス回路１４を制御する。
【００３５】
（ホ）次に、Ｓ１７段階に進み、変数ｋがｎであるか否かを判断する。変数ｋがｎでなければ（Ｓ１７でＮＯ）、Ｓ１９段階に進み、ｋを１だけインクリメントしてＳ０７段階に戻り、Ｓ０７〜Ｓ１９段階を繰返し実行する。変数ｋがｎになれば（Ｓ１７でＹＥＳ）、Ｓ０７〜Ｓ１９段階のループは終了し、図４に示すフローチャートも終了する。
【００３６】
以上説明したように、本発明の実施の形態によれば、以下の作用効果が得られる。
【００３７】
受信側時間tk_Rxと送信側時間の期待値とを比較し、この比較結果に基づいてプリエンファシス回路１４を制御することにより、伝送路３を介して伝送された後の繰返しパルスの波形が最適な波形となるように伝送路３を介して伝送される前の繰返しパルスの波形を補正して、送信回路１から受信回路２までの伝送路ロスの影響を低減させることができる。よって、ＰＲＢＳ発生器のようなランダムパターンを発生する回路を装備する必要が無くなり、また、伝送路３を介して伝送された後の信号のＥＹＥ波形を取得する必要もなくなるので、回路規模の増大を抑制することができる。
【００３８】
また、信号伝送システムは、伝送路３を介して伝送される前の繰返しパルスの波形において敷居電圧レベルvthkを超えている送信側時間tk_Txを計測する送信側時間計測部１９を更に備え、比較判定部２２は、受信側時間tk_Rxと送信側時間計測部１９が計測した前記送信側時間tk_Txとを比較する。送信側時間tk_Txを計測することにより、送信側時間tk_Txを任意に設定した繰返しパルスを用いてプリエンファシスを調整することができる。また、送信側時間tk_Txが予め定められた繰返しパルス信号を生成する繰返しパルス発生器やその送信側時間tk_Txを記憶する記憶装置が不要となり、回路規模の増大を抑制することができる。
【００３９】
繰返しパルスの周期を短くすれば、レシーバ３１に入力される繰返しパルスの波形において簡単なＩＳＩ波形を確認でき、ＩＳＩで歪んだ波形を補正することができる。また、コントローラ１５が敷居電圧レベルvthkを調整し、カウンタ１６、３６を制御してカウン
ト値を読み出し、プリエンファシス回路１４を制御するので、オシロスコープなどの外部測定器を用いずに、コントローラ１５による制御の下でプリエンファシス調整の総ての処理を実行することができる。
（変形例）
変形例においては、送信側時間tk_Txを計測する図１の送信側時間計測部１９の代わりに、送信側時間の期待値を記憶する記憶部を備える信号伝送システムについて説明する。
【００４０】
図５に示すように、変形例にかかわる信号伝送システムにおいて、コントローラ１５は、更に、送信側時間の期待値を記憶する記憶部２６を備える。比較判定部２２は、受信側時間計測部３２が計測した受信側時間tk_Rxと記憶部２６に記憶されている送信側時間の期待値とを比較する。
【００４１】
その他の構成は、図１の信号伝送システムと同じであり、説明を省略する。
【００４２】
次に、図６を参照して、プリエンファシス調整時における図５のコントローラ１５の制御動作の一例を説明する。
【００４３】
（イ）先ず、Ｓ３１段階において、繰返しパルス発振器１１を制御して繰返しパルスの発振を開始する。Ｓ３３段階に進み、セレクタ１２を制御して繰返しパルス発振器１１が接続された入力端子を選択して出力端子と接続する。スイッチＲＬを制御してスイッチＲＬを伝送路３側へ接続する。
【００４４】
（ロ）次に、Ｓ３５段階に進み、変数ｋの初期値としてｋ＝１を設定し、Ｓ３７段階に進み、敷居電圧制御部２５は敷居電圧レベルvthkを設定する。
【００４５】
（ハ）次に、Ｓ３９段階に進み、受信側時間計測部３２を制御して受信側時間tk_Rxを計測する。次に、Ｓ４１段階に進み、変数ｋがｎであるか否かを判断する。変数ｋがｎでなければ（Ｓ４１でＮＯ）、Ｓ４３段階に進み、ｋを１だけインクリメントしてＳ３７段階に戻り、Ｓ３７〜Ｓ４３段階を繰返し実行する。変数ｋがｎになれば（Ｓ４１でＹＥＳ）、Ｓ３７〜Ｓ４３段階のループは終了し、Ｓ４５段階に進む。
【００４６】
（ニ）Ｓ４５段階において、比較判定部２２は、記憶部２６から送信側時間の期待値を読み出す。Ｓ４７段階において、比較判定部２２は、受信側時間計測部３２が計測した受信側時間t1_Rx〜tn_Rxと記憶部２６から読み出した送信側時間の期待値とを比較する。そして、Ｓ４９段階に進み、プリエンファシス制御部２１は、比較判定部２２による比較の結果に基づいて、プリエンファシス回路１４を制御して、図６に示すフローチャートは終了する。
【００４７】
以上説明したように、変形例によれば、送信側時間の期待値を記憶する記憶部２６を備えることにより、送信側時間tk_Txを計測する処理及び回路が不要となり、処理時間を短縮し、回路規模の増大を抑制することができる。
（その他の実施の形態）
上記のように、本発明は、１つの実施の形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００４８】
図４に示すフローチャートでは、ｎ個の敷居電圧レベルvth1〜vthnについてそれぞれ１回ずつ送信側時間と受信側時間の比較（Ｓ１３）及びプリエンファシス回路の制御（Ｓ１５）を行う例を示したが、これ以外にも、例えば、ｎ個の敷居電圧レベルvth1〜vthnの総てについて受信側時間t1_Rxが基準範囲内に納まるまで、送信側時間と受信側時間の比較
（Ｓ１３）及びプリエンファシス回路の制御（Ｓ１５）を繰返し行っても構わない。また或いは、図６に示したフローチャートに近似した手順により、図１の信号伝送システムを制御してもよい。即ち、ｎ個の敷居電圧レベルvth1〜vthnについて送信側時間と受信側時間の比較（Ｓ１３）をそれぞれ行い、これらの比較の結果に基づいてプリエンファシス回路の制御（Ｓ１５）を一回だけ行っても構わない。逆に、図４に示したフローチャートに近似した手順により、図５の信号伝送システムを制御してもよい。
【００４９】
送信側時間t1_Txの前後１％の範囲を基準範囲とする場合について示したが、基準範囲は前後１％である場合に限らない。
【００５０】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５１】
【図１】本発明の実施の形態に係わる信号伝送システムの構成を示すブロック図である。
【図２】図２（ａ）は図１のノードＡにおける繰返しパルスの波形を示し、図２（ｂ）は図１のノードＣにおける信号の波形を示し、図２（ｃ）は図１のノードＢにおける繰返しパルスの波形を示し、図２（ｄ）は図１のノードＤにおける信号の波形の一例を示すグラフである。
【図３】図３（ａ）及び図３（ｂ）は、複数（ｎ個）の敷居電圧レベルvth1〜vthnについて、送信側時間計測部１９が計測した送信側時間t1_Tx〜tn_Tx及び受信側時間計測部３２が計測した受信側時間t1_Rx〜tn_Rxの一例を示すグラフである。
【図４】図１の信号伝送システムの制御手順の一例を示すフローチャートである。
【図５】変形例に係わる信号伝送システムの構成を示すブロック図である。
【図６】図５の信号伝送システムの制御手順の一例を示すフローチャートである。
【図７】従来技術に係わる信号伝送システムの構成を示すブロック図である。
【図８】擬似的なＥＹＥ波形を示す模式図である。
【符号の説明】
【００５２】
１、５１…送信回路
２、５２…受信回路
３、５３…伝送路
１１…繰返しパルス発振器
１２、６２…セレクタ
１３、６３…ドライバ
１４…プリエンファシス回路
１５…コントローラ
１６、３６…カウンタ
１７、３７…サンプリング回路
１８、３８…比較器
１９…送信側時間計測部
２１…プリエンファシス制御部
２２…比較判定部
２３…カウンタ制御部
２４…サンプリング制御部
２５…敷居電圧制御部
２６…記憶部
３１、８１…レシーバ
３２…受信側時間計測部
６１ａ…ＰＲＢＳ回路
６１ｂ…ＰＲＢＳ発生器
６４…波形補正回路
８２…オシロスコープ
ＲＬ…スイッチ
【図１】
2010045694.tif 000003
【図２】
2010045694.tif 000004
【図３】
2010045694.tif 000005
【図４】
2010045694.tif 000006
【図５】
2010045694.tif 000007
【図６】
2010045694.tif 000008
【図７】
2010045694.tif 000009
【図８】
2010045694.tif 000010